(57)【特許請求の範囲】
【請求項１】
縦枠10a,10b及び横枠10c,10dを枠組みしてなるドア枠を備え、縦枠10a,10b及び横枠10c,10dは、それぞれ金属形材製の本体枠10と該本体枠10の室内側に装着されている合成樹脂枠31とから構成してあり、ドア枠のコーナー部は、横枠10c,10dに装着した合成樹脂枠を縦枠に装着した合成樹脂枠の室外側に当接させて配置すると共に、横枠10dに装着した合成樹脂枠の端縁室内側に軟質舌片31eを一体的に付設し、該軟質舌片31eを、縦枠10a,10bに装着した合成樹脂枠31の室外側面に当接させることを特徴とするドア。
【発明の詳細な説明】
【０００１】
【発明の属する技術分野】
本発明は、断熱ドア等に用いるドアに関し、更に詳しくは、コーナー部におけるシール機能が優れたドアに関する。
【０００２】
【従来の技術】
最近、建物の断熱機能の向上に関する要望が高くなっており、例えば、出入口等に取り付けるドアについても断熱機能が優れた構造のもの、即ち、断熱ドアが求められている。断熱性の優れたドア等の枠体として用いられている従来のサッシ枠としては、室内外位置に相対して配置するアルミ形材とアルミ形材の間に断熱材を配置する枠体の例がある。
しかしながら、このような構成のものは構造が複雑になり製造コストが嵩むばかりでなく、室内外幅、即ち、見込み寸法が大きくなるという不具合があった。
【０００３】
【発明が解決しようとする課題】
そこで、本発明者は、室外側に位置させる金属形材製の本体枠と室内側に位置させる合成樹脂枠とからドアを形成し、本体枠に合成樹脂枠を装着させて一体とした断熱ドアを提案している（特願平９−２１４７２０号）。該先願に係る発明は、断熱機能が優れたドアであって、ドアの厚み、即ち見込み幅を小さくできるものであるが、本発明は上記先願の発明を実施するに当たって一層断熱性及び気密性を向上させるべく改良を加えたものである。即ち、本発明は、コーナー部におけるシール機能を向上させ、ドアの断熱性及び気密性をより一層向上することを課題とするものである。
【０００５】
【課題を達成するための手段】
上記課題を解決するために、本発明の請求項１に記載のドアは、縦枠10a,10b及び横枠10c,10dを枠組みしてなるドア枠を備え、縦枠10a,10b及び横枠10c,10dは、それぞれ金属形材製の本体枠10と該本体枠10の室内側に装着されている合成樹脂枠31とから構成してあり、ドア枠のコーナー部は、横枠10c,10dに装着した合成樹脂枠を縦枠に装着した合成樹脂枠の室外側に当接させて配置すると共に、横枠10dに装着した合成樹脂枠の端縁室内側に軟質舌片31eを一体的に付設し、該軟質舌片31eを、縦枠10a,10bに装着した合成樹脂枠31の室外側面に当接させることを特徴とする。
【０００８】
【発明の実施の態様】
以下、本実施例の詳細な構成について説明する。
（全体構成）  本発明の実施例に係るドアは、一戸建住宅やマンションの勝手口のドアとして取り付ける。図２に示すように、躯体１の壁面に形成した開口部にヒンジ２、２を介して片開きのドア３を装着する。該ドア３には開閉用の把手４を設ける。
【０００９】
ドア３を装着するため、開口部の周壁にはアルミ形材からなる躯体枠５を取り付ける。躯体枠５は、図２に示すように、方形状に形成してそれぞれビス等により躯体１壁に固定する。
躯体枠５の室内側面には、後述の合成樹脂枠（以下、「合成樹脂枠」は単に「樹脂枠」と略称する）を取り付けるため樹脂枠取付部（単に「取付部」と略称する）が形成してある。
【００１０】
図２又は図３に示すように、ドア３の本体枠（サッシ枠）１０はヒンジ２を介して躯体枠５に開閉自在に軸着されている。本体枠１０は、図３に示す右枠（縦枠）１０ａ及び左枠（縦枠）１０ｂ、並びに、図４、５に示す上枠（横枠）１０ｃ及び下枠（横枠）１０ｄとから構成され、アルミ形材を押出成形した各種形状のものが使用される（左右上下枠１０ａ〜１０ｄを総称して表現するときは「本体枠１０」という。）。
【００１１】
図３〜５に示すように、本体枠１０の中央開口部は上げ下げ障子の収納部１１を形成している。本体枠１０の室外側には、室外側板１２が固定してあり、この室外側板１２内には網戸（図示せず）が設けてある。本体枠１０には後述の樹脂枠３１を取付けるための取付部１９ａ、１９ｂを形成する。即ち、本体枠１０の室内側面にはカシメ部１９ａ及び係合部１９ｂとを形成する。
上記係合部１９ｂの構造は、本体枠１０からＬ字型に突出する形で設けられており、この係合部１９ｂに後述の樹脂枠３１側の支持突片３１ａを係合させる。また、図３に示すように、左枠１０ｂには室内外にそれぞれ把手４、４とロック部材６とを取り付けると共に、本体枠１０の障子２０側には気密用のタイト材１３を付設する。
【００１２】
なお、本体枠１０の組立に当たっては、各左右上下枠１０ａ〜１０ｄに予め後述の合成樹脂枠をそれぞれ付設した後に、各コーナー部において、シーラ１４を介挿させてビス等で連結する。なお、本発明にとって、前記シーラ１４は必ずしも必須の構成要件ではない。
【００１３】
図２〜５に示すように、本体枠１０の収納部１１には内障子及び外障子からなる上げ下げ障子２０（以下、単に障子２０という。）を上下動自在及び任意位置での停止自在に配置する。また、障子２０は障子板２１及び障子框２２とからなる。障子框２２の内周面には、後述の断面Ｌ型の押縁３２ｃを保持させるための係合部２３、２４が本体枠１０及び合成樹脂枠３１に一定距離離して２箇所形成してある。
【００１４】
次に、樹脂枠３０〜３２の取付について説明する。前述したように、躯体枠５、本体枠１０、及び障子框２２の室内側面に断熱性に優れた樹脂枠３０〜３２を装着する。換言すれば、本実施例に係る躯体枠５、本体枠１０、及び障子框２２は、室外側のアルミ形材と室内側の樹脂枠３０〜３２との組み合わせから構成される。
まず、躯体枠５の室内側面の全面に取り付ける樹脂枠３０には、図３〜５に示すように、室内側への突出部３０ｂ及び支持突片３０ａを形成し、全体として巾厚で立体的に形成する。この樹脂枠３０は、ドア３の室内側の全周面に位置するために、化粧枠を兼ねることになり意匠的に優れた素材、形状及び色彩のものを選ぶことが望ましい。
【００１５】
次に、ドア３の本体枠１０に取付部１９ａ、１９ｂを介して取り付ける樹脂枠３１は、図３〜５に示すように、室内側の平面部３１ｂ、及び、支持突片３１ａで形成されており、全体として巾薄で本体枠１０の室内側面をカバーするように板状に形成する。
この樹脂枠３１の室外側面には、支持突片３１ａと共に、本体枠１０とは一定の断熱用の空間部を形成させるための足部３１ｃ・・を設ける。この樹脂枠３１は、本体枠１０の室内側面の形状により適宜設計すればよいが、実施例では部分的に室内外方向において巾厚に形成されている。また、後述の樹脂枠３２の平面部３２ｂに対向する樹脂枠３１の端部には気密性向上のため当接片３１ｄ（図５）が設けてある。
【００１６】
本実施例の最大の特徴は、図１、５に示すように、下枠１０ｄに取り付けた樹脂枠３１のコーナー部上端縁に室内側に突出するように軟質舌片３１ｅを付設する点にある。この軟質舌片３１ｅは合成樹脂枠３１を成形するときに一体に成形する。そして、縦枠１０ａ、１０ｂと下枠（横枠）１０ｄとを組み立てて枠組みした状態において、該軟質舌片３１ｅが縦枠１０ａ、１０ｂに設けた合成樹脂枠３１のコーナー部の室外側面に当接するように形成する。
換言すれば、下枠１０ｄに取り付けた樹脂枠３１のコーナー部上端縁と縦枠１０ａ、１０ｂに取り付けた樹脂枠３１のコーナー部室外側面とは軟質舌片３１ｅにより密閉されることになる。その結果、両樹脂枠３１間の隙間の気密性・防水性が向上する。
【００１７】
なお、上記のように、縦枠１０ａ、１０ｂと下枠（横枠）１０ｄとのコーナー部における枠組み構造ばかりでなく、図示していないが、左右枠（縦枠）１０ａ、１０ｂと上枠（横枠）１０ｃとの枠組み構造においても、上枠（横枠）１０ｃの端縁に軟質舌片を一体的に付設し、縦枠１０ａ、１０ｂに設けた合成樹脂枠３１の室外側面に当接するように形成してもよい。
【００１８】
次に、障子框２２の取付部２２ａ、２２ｂに取り付ける樹脂枠３２は、図３〜５に示すように、室内側の平面部３２ｂ及び障子框２２への支持突片３２ａからなる。この樹脂枠３２には、別体として、障子板２１をその周部において挟持する断面Ｌ型の押縁３２ｃを配置する。該押縁３２ｃは、障子框２２と障子板２１との間に配置し、その室内側端面には障子板２１内周面に延出する延出部３２ｄを形成する。また、延出部３２ｄの端部には突片３２ｅを形成し、舌片３２ｆを介して障子板２１に当接させている。
【００１９】
上記構成により、室外側に位置するアルミ形材から伝えられる熱気や冷気は、室内側の樹脂枠３０〜３２により断熱されるために室内に伝わることは少ない。また、室内側が樹脂枠３０〜３２で統一されるため、樹脂枠３０〜３２の素材、形状、色彩の選択が容易となり、意匠上の選択の余地が高まる。
【００２０】
更に、躯体枠５、本体枠１０、障子框２２への樹脂枠３０〜３２の取付において、その支持突片３０ａ、３１ａ、３２ａを突出部３０ｂ、平面部３１ｂ、３２ｂより室外側に位置させ、カシメ手段と圧着係合手段との２つの取付手段の組合わせを用いたことにより、取り付けが確実になる。
また、本発明の構成要件である合成樹脂枠３０〜３２の素材としては、断熱性、熱変形性、機械的強度、硬度、加工性、意匠性、価格、安全性等種々の観点から選択されるが、主として硬質塩ビ樹脂の押出成型品等が採用される。
【００２１】
以上のように、本発明は、主として断熱機能を追求する上げ下げ障子を構成要件とするドアを実施例として説明したが、本発明はこれに限るものではなく、通常の建物のドア、開閉戸、出入口枠、窓枠、障子枠等広く適用できるものである。
【００２２】
また、上記実施例では、軟質舌片３１ｅは合成樹脂枠３１と一体成形することで簡単に形成され、また、その構成も簡単になるものであるが、両部材を別々に形成してその後一体としてもよい。また、この場合、軟質舌片３１ｅと合成樹脂枠３１とは同一素材でも別素材であってもよく、サッシ枠が適用される条件によって適宜選択される。
【００２３】
軟質舌片３１ｅの断面形状は、実施例においては、舌状の先細り薄片形状となっているが、薄片形状であれば必ずしも舌状の先細り形状である必要はなく、全体として長方形状であってもよく、先端が上下方向に多少弯曲していてもよい。但し、軟質舌片３１ｅに求める機能は、両枠の当接部のシールであることから、両枠の当接部分の全幅に亘って軟質舌片３１ｅを設けることが望ましい。
【００２４】
なお、本発明は、その構成要件として「横枠に装着した合成樹脂枠の端縁室内側に軟質舌片31eを一体的に付設する」ものであるが、付設の手段として、合成樹脂枠の端縁室内側の全長に亘って軟質舌片31eを一体成形しておき、その後不要な部分、即ち、コーナー部以外の部分を必要に応じて分離・削除するようにしてもよく、このような場合も「付設し」に含むものである。ところで、前記特許請求の範囲の項には、図面と対応する符号を付したが、発明の構成要素は、符号を付した実施例に限定されるものではない。
【００２５】
【発明の効果】
請求項１記載の発明によるドアは、ドア枠を構成する縦枠及び横枠が、それぞれ金属形材製の本体枠と該本体枠の室内側に装着されている合成樹脂枠とから構成してあり、ドア枠のコーナー部は、横枠に装着した合成樹脂枠を縦枠に装着した合成樹脂枠の室外側に当接させて配置すると共に、横枠に装着した合成樹脂枠の端縁室内側に軟質舌片を一体的に付設し、該軟質舌片を、縦枠に装着した合成樹脂枠の室外側面に当接させる構成にしたので、縦枠と横枠を枠組みするだけで、横枠の室内側に装着した合成樹脂枠の軟質舌片が縦枠の室内側に装着した合成樹脂枠の室外側面に弾性的に当接し、縦横の合成樹脂枠間の隙間が密閉されるので、コーナー部のシール機能が向上し、ドアの断熱性及び気密性をより一層向上できる。
【図面の簡単な説明】
【図１】本発明の実施例に係るドアの要部の分解斜視図。
【図２】同ドアの正面図。
【図３】図２のＡ−Ａ断面の断面図。
【図４】図２のＢ−Ｂ断面の断面図。
【図５】図２のＣ−Ｃ断面の断面図。
【符号の説明】
１・・・躯体
２・・・ヒンジ
３・・・ドア
４・・・把手
５・・・躯体枠
６・・・ロック部材
１０・・本体枠（サッシ枠）
１０ａ・・右枠（縦枠）
１０ｂ・・左枠（縦枠）
１０ｃ・・上枠（横枠）
１０ｄ・・下枠（横枠）
１１・・収納部
１２・・室外側板
１３・・・タイト材
１４・・シーラ
１９ａ・・カシメ部（取付部）
１９ｂ・・係合部（取付部）
２０・・（上げ下げ）障子
２１・・障子板
２２・・・障子框
２２ａ，２２ｂ・・・取付部
２３，２４・・・係合部
３０・・(合成)樹脂枠（躯体枠5用）
３０ａ・・支持突片
３０ｂ・・突出部
３１・・(合成)樹脂枠（本体枠10用）
３１ａ・・支持突片
３１ｂ・・平面部
３１ｃ・・足部
３１ｄ・・当接片
３１ｅ・・軟質舌片
３２・・（合成）樹脂枠（障子框22用）
３２ａ・・支持突片
３２ｂ・・平面部
３２ｃ・・押縁
３２ｄ・・延出部
３２ｅ・・突片
３２ｆ・・舌片
【図１】
0003915105.tif 000002
【図２】
0003915105.tif 000003
【図３】
0003915105.tif 000004
【図４】
0003915105.tif 000005
【図５】
0003915105.tif 000006